(57)【特許請求の範囲】
【請求項１】
収納位置と撮影位置との間をレンズが光軸方向に移動して撮影倍率を変更するレンズ鏡筒であって、
外周部に複数の第１突起またはフォロワ部を有するとともに、被写体側の端部外周部にフランジ部を有する固定筒と、
前記固定筒と同軸的に固定配置され、光軸方向の両側にフランク面を有する複数の第２突起またはフォロワ部を外周部に有するストッパ部材と、
前記固定筒及び前記ストッパ部材の外周側に配置され、内周部に前記複数の第１突起またはフォロワ部がそれぞれカム係合する複数の第１カム溝を有するとともに、内周部に前記第１カム溝に対して光軸方向の像面側に離れた位置に前記複数の第２突起またはフォロワ部がそれぞれ係合する前記第１カム溝と同一の軌跡の複数の第２カム溝を有し、前記第１突起またはフォロワ部と前記第１カム溝との係合、及び前記第２突起またはフォロワ部と前記第２カム溝との係合により、前記固定筒及び前記ストッパ部材に対して回転しながら光軸方向に移動するカム筒と、を備え、
前記カム筒が被写体側に繰り出して前記固定筒の前記フランジ部に接近した領域では、前記複数の第２突起またはフォロワ部がそれぞれ係合する前記複数の第２カム溝の像面側の側壁が開放されていることを特徴とするレンズ鏡筒。
【請求項２】
前記カム筒が被写体側に繰り出して前記固定筒の前記フランジ部に接近した領域では、前記第２カム溝の底部に前記第２突起またはフォロワ部が接触するとともに、前記第２カム溝の被写体側の側壁に対して前記第２突起またはフォロワ部のフランク面が隙間を有して配置されることを特徴とする請求項１に記載のレンズ鏡筒。
【請求項３】
前記カム筒が被写体側に繰り出して前記固定筒の前記フランジ部に接近した領域では、前記第２のカム溝の被写体側の側壁に前記第２突起またはフォロワ部のフランク面が接触して配置されることを特徴とする請求項１に記載のレンズ鏡筒。
【請求項４】
前記カム筒の像面側端部には、前記カム筒の光軸方向の位置を検出するためのリブ部が設けられ、前記リブ部は、２つの前記第２カム溝に周方向に挟まれた位置で、かつ前記第２カム溝と光軸方向に重なる位置に配置されていることを特徴とする請求項１乃至３のいずれか一項に記載のレンズ鏡筒。
【請求項５】
前記撮影位置は、前記レンズが前記収納位置から被写体側に繰り出した第１撮影位置と、前記レンズが前記第１撮影位置から更に被写体側に繰り出した第２撮影位置と、前記レンズが前記第２撮影位置から更に被写体側に繰り出した第３撮影位置とを有し、
前記第３撮影位置で前記カム筒が前記フランジ部に最も接近し、前記第２撮影位置から前記第３撮影位置までの領域では、前記カム筒は、前記固定筒に対して略定位置で回転することを特徴とする請求項１乃至４のいずれか一項に記載のレンズ鏡筒。
【請求項６】
前記ストッパ部材は、レンズを保持するレンズ保持部を光軸方向に移動可能に案内することを特徴とする請求項１乃至５のいずれか一項に記載のレンズ鏡筒。
【請求項７】
前記ストッパ部材は、前記レンズ保持部を光軸方向に駆動する駆動源を保持することを特徴とする請求項６に記載のレンズ鏡筒。
【請求項８】
収納位置と撮影位置との間をレンズが光軸方向に移動して撮影倍率を変更するレンズ鏡筒を備える撮像装置であって、
前記レンズ鏡筒は、
外周部に複数の第１突起またはフォロワ部を有するとともに、被写体側の端部外周部にフランジ部を有する固定筒と、
前記固定筒と同軸的に固定配置され、光軸方向の両側にフランク面を有する複数の第２突起またはフォロワ部を外周部に有するストッパ部材と、
前記固定筒及び前記ストッパ部材の外周側に配置され、内周部に前記複数の第１突起またはフォロワ部がそれぞれカム係合する複数の第１カム溝を有するとともに、内周部に前記第１カム溝に対して光軸方向の像面側に離れた位置に前記複数の第２突起またはフォロワ部がそれぞれ係合する前記第１カム溝と同一の軌跡の複数の第２カム溝を有し、前記第１突起またはフォロワ部と前記第１カム溝との係合、及び前記第２突起またはフォロワ部と前記第２カム溝との係合により、前記固定筒及び前記ストッパ部材に対して回転しながら光軸方向に移動するカム筒と、を備え、
前記カム筒が被写体側に繰り出して前記固定筒の前記フランジ部に接近した領域では、前記複数の第２突起またはフォロワ部がそれぞれ係合する前記複数の第２カム溝の像面側の側壁が開放されていることを特徴とする撮像装置。
【発明の詳細な説明】
【技術分野】
【０００１】
本発明は、例えばデジタルカメラ等の撮像装置に搭載されるズーム式のレンズ鏡筒に関する。
【背景技術】
【０００２】
デジタルカメラ等の撮像装置に搭載されるズーム式のレンズ鏡筒では、近年の撮影倍率の高倍率化の要請に伴って撮影光学系のレンズの数が増加したり、繰出し全長が長くなったりしてレンズ鏡筒が光軸方向に大型化し、レンズ鏡筒の重量も増加する傾向にある。レンズ鏡筒の重量が増加すると、レンズ鏡筒が衝撃を受けたときの負荷も大きくなる。そこで、レンズ鏡筒が衝撃を受けた際に、直進筒に設置されるピン部材を用いてカム筒の脱落を防止する技術が提案されている（特許文献１）。
【先行技術文献】
【特許文献】
【０００３】
【特許文献１】特開２０１２−４２５７８号公報
【発明の概要】
【発明が解決しようとする課題】
【０００４】
しかし、上記特許文献１では、カム筒に対して、ピン部材を光軸方向に受け止める壁部を形成する必要があるとともに、ピン部材の組込用の穴部も形成する必要があり、カム筒が大型化する。
【０００５】
そこで、本発明は、レンズ鏡筒の大型化を招くことなく、レンズ鏡筒の優れた耐衝撃性を確保することができる技術を提供することを目的とする。
【課題を解決するための手段】
【０００６】
上記目的を達成するために、本発明は、収納位置と撮影位置との間をレンズが光軸方向に移動して撮影倍率を変更するレンズ鏡筒であって、外周部に複数の第１突起またはフォロワ部を有するとともに、被写体側の端部外周部にフランジ部を有する固定筒と、前記固定筒と同軸的に固定配置され、光軸方向の両側にフランク面を有する複数の第２突起またはフォロワ部を外周部に有するストッパ部材と、前記固定筒及び前記ストッパ部材の外周側に配置され、内周部に前記複数の第１突起またはフォロワ部がそれぞれカム係合する複数の第１カム溝を有するとともに、内周部に前記第１カム溝に対して光軸方向の像面側に離れた位置に前記複数の第２突起またはフォロワ部がそれぞれ係合する前記第１カム溝と同一の軌跡の複数の第２カム溝を有し、前記第１突起またはフォロワ部と前記第１カム溝との係合、及び前記第２突起またはフォロワ部と前記第２カム溝との係合により、前記固定筒及び前記ストッパ部材に対して回転しながら光軸方向に移動するカム筒と、を備え、前記カム筒が被写体側に繰り出して前記固定筒の前記フランジ部に接近した領域では、前記複数の第２突起またはフォロワ部がそれぞれ係合する前記複数の第２カム溝の像面側の側壁が開放されていることを特徴とする。
【発明の効果】
【０００７】
本発明によれば、レンズ鏡筒の大型化を招くことなく、レンズ鏡筒の優れた耐衝撃性を確保することができる。
【図面の簡単な説明】
【０００８】
【図１】本発明のレンズ鏡筒を備える撮像装置の実施形態の一例であるデジタルカメラを正面側から見た外観斜視図である。
【図２】図１に示すデジタルカメラを背面側から見た外観斜視図である。
【図３】図１に示すデジタルカメラの制御ブロック図である。
【図４】レンズ鏡筒の分解斜視図である。
【図５】レンズ鏡筒の収納位置での斜視図である。
【図６】レンズ鏡筒の撮影位置（ＴＥＬＥ位置）での斜視図である。
【図７】１群ユニットを像面側から見た斜視図である。
【図８】固定筒を被写体側から見た斜視図である。
【図９】５群ユニットの分解斜視図である。
【図１０】カム筒を像面側から見た斜視図である。
【図１１】カム筒の内周側の展開図である。
【図１２】カム筒のカム溝と５群ベースの突起部との係合状態を示す要部断面図である。
【図１３】収納位置でのレンズ鏡筒の断面図である。
【図１４】収納位置でのレンズ鏡筒の図１３とは異なる位相の断面図である。
【図１５】撮影位置（ＷＩＤＥ位置）でのレンズ鏡筒の断面図である。
【図１６】撮影位置（ＭＩＤＤＬＥ位置）でのレンズ鏡筒の断面図である。
【図１７】撮影位置（ＴＥＬＥ位置）でのレンズ鏡筒の断面図である。
【図１８】カム筒のカム溝と５群ベースの突起部との係合状態を示す要部断面図である。
【発明を実施するための形態】
【０００９】
以下、図面を参照して、本発明の実施形態の一例を説明する。
【００１０】
図１は、本発明のレンズ鏡筒を備える撮像装置の実施形態の一例であるデジタルカメラを正面側から見た外観斜視図である。図２は、図１に示すデジタルカメラを背面側から見た外観斜視図である。
【００１１】
本実施形態のデジタルカメラは、図１に示すように、カメラ本体１８の正面側に、補助光源窓１５、及びレンズ鏡筒１９が設けられている。レンズ鏡筒１９は、レンズが収納位置と撮影位置との間を光軸方向に移動して撮影倍率を変更するズーム式とされている。カメラ本体１８の上面部には、レリーズボタン１２、電源切換えボタン１４、ズームスイッチ１３、及びポップアップ式のストロボ装置１７が設けられている。また、カメラ本体１８の背面側には、図２に示すように、各種操作ボタン２３〜２７、ＬＣＤ等のディスプレイ２１、及びファインダ接眼部２０が設けられている。ディスプレイ２１は、カメラ本体１８に対して開閉方向に回動可能に、かつ開状態で回転可能に支持されている。
【００１２】
図３は、本実施形態のデジタルカメラの制御ブロック図である。バス４４には、ＣＰＵ４６、ＲＯＭ４５、ＲＡＭ４７、レリーズボタン１２、操作ボタン２３〜２７、ディスプレイ２１、電源切換えボタン１４、ズームスイッチ１３、メモリ４０、圧縮伸張部４１、メモリカードドライブ４２及び駆動回路４３が接続される。
【００１３】
駆動回路４３には、レンズ鏡筒１９をズーム駆動するズーム機構３０、フォーカスレンズ７を駆動するフォーカス駆動機構３１、シャッタ３５を駆動するシャッタ駆動機構３２、絞り３６を駆動する絞り駆動機構３４が接続される。また、駆動回路４３には、ＣＣＤセンサやＣＭＯＳセンサ等の撮像素子８及びストロボ装置１７が接続される。駆動回路４３に接続された各ユニットは、ＣＰＵ４６からの信号に基づいて該駆動回路４３を介して駆動が制御される。
【００１４】
ＲＯＭ４５には、各種制御プログラム等が記憶され、ＲＡＭ４７には、各種制御プログラムに必要なデータが記憶されている。アナログ信号処理部３７は、撮像素子８から出力された画像データにアナログ処理を施し、Ａ／Ｄ変換部３８に出力する。Ａ／Ｄ変換部３８は、撮像素子８から取り込んだアナログデータをデジタルデータに変換して、デジタル信号処理部３９に出力する。デジタル信号処理部３９は、Ａ／Ｄ変換部３８で変換されたデジタルデータに対して所定の処理を行い、画像データとしてメモリ４０に出力する。
【００１５】
メモリ４０に記憶された画像データは、操作ボタン２３の操作によって圧縮伸張部４１によりＪＰＥＧやＴＩＦＦ等の圧縮処理等が施された後、メモリカードドライブ４２に装着されたメモリカードに出力されて記憶される。また、メモリ４０に記憶された画像データやメモリカードに記憶された画像データを圧縮伸張部４１によって伸張処理を行い、その後、バス４４を介してディスプレイ２１に表示させることができる。ディスプレイ２１に表示された画像をユーザが見て不要と判断した場合は、操作ボタン２４の操作によって消去することができる。
【００１６】
次に、図４乃至図１８を参照して、レンズ鏡筒１９について詳述する。図４は、レンズ鏡筒１９の分解斜視図である。図５は、レンズ鏡筒１９の収納位置での斜視図である。図６は、レンズ鏡筒１９の撮影位置（ＴＥＬＥ位置）での斜視図である。図７は、１群ユニット１００を像面側から見た斜視図である。図８は、固定筒７００を被写体側から見た斜視図である。図９は、５群ユニット９００の分解斜視図である。図１０は、カム筒８００を像面側から見た斜視図である。図１１は、カム筒８００の内周側の展開図である。
【００１７】
図４に示すように、レンズ鏡筒１９は、１群ユニット１００、２群ユニット２００、絞りユニット３００、３群ユニット４００、４群ユニット６００、固定筒７００、カム筒８００、５群ユニット９００及びベースユニット１０００を有する。
【００１８】
１群ユニット１００は、図５及び図６に示すように、第１レンズ群１０１を保持する１群筒１０２を有する。１群筒１０２の像面側の端部外周部には、スリット孔１０２ａが周方向に略等間隔で３箇所設けられている。１群筒１０２の像面側の端部内周部には、凸部１０２ｂ，１０２ｃ、光軸方向に延びる溝部１０２ｄ及びカムピン１０３が設けられている。凸部１０２ｂ，１０２ｃ、溝部１０２ｄ及びカムピン１０３は、それぞれ１群筒１０２の周方向に略等間隔で３箇所ずつ設けられている。
【００１９】
２群ユニット２００は、図４に示すように、第２レンズ群２０１を保持する２群筒２０２を有する。２群筒２０２の被写体側端部には、大径の円筒部２０３ｂが設けられ、また、２群筒２０２の像面側端部の外周部には、カムピン２０３が周方向に略等間隔で３箇所設けられている。
【００２０】
絞りユニット３００は、図４に示すように、主ガイド部３０１及び副ガイド部３０２を有する。主ガイド部３０１には、カムピン３０３が設けられている。
【００２１】
３群ユニット４００は、図４に示すように、第３レンズ群４０１を保持する３群筒４０２を有し、３群筒４０２は、駆動ユニット４０３とともに３群ベース４０４に保持されている。３群ベース４０４には、主ガイド部４０４ａ、副ガイド部４０４ｃ、及びカムピン４０５が設けられている。絞りユニット３００の不図示のフック部と３群ベース４０４の不図示のフック部には、バネ部材５００が掛けられる。
【００２２】
４群ユニット６００は、図４に示すように、第４レンズ群６０１を保持する４群筒６０２を有する。４群筒６０２には、主ガイド部６０２ａ、３群ベース４０４に係合する副ガイド部６０２ｃ、及びカムピン６０３が設けられている。
【００２３】
固定筒７００は、ベースユニット１０００のベース部材１００１に固定される。固定筒７００の被写体側の端部には、図４及び図８に示すように、フランジ部７００ｆが設けられ、フランジ部７００ｆには、１群筒１０２の溝部１０２ｃが係合する凸部７００ａが設けられている。また、固定筒７００には、２群筒２０２の円筒部２０３ｂが係合する溝部７００ｂ、及び複数（本実施形態では、３箇所）のカムピン７００ｃが設けられている。カムピン７００ｃは、本発明の第１突起またはフォロワ部の一例に相当する。
【００２４】
更に、固定筒７００には、ガイド穴７００ｇ，７００ｈ及びガイド穴７００ｉ，７００ｊが形成されている。ガイド穴７００ｇ，７００ｈには、ガイド軸７０３が嵌合される。ガイド軸７０３は、絞りユニット３００の主ガイド部３０１及び３群ベース４０４の主ガイド部４０４ａに嵌合されて、ガイド穴７００ｇ，７００ｈに保持される。ガイド穴７００ｉ，７００ｊには、ガイド軸７０４が嵌合される。ガイド軸７０４は、絞りユニット３００の副ガイド部３０２、３群ベース４０４の副ガイド部４０４ｃ、及び４群筒６０２の主ガイド部６０２ａに嵌合されて、ガイド穴７００ｉ，７００ｊに保持される。
【００２５】
５群ユニット９００は、図４及び図９に示すように、第５レンズ群９０１を保持する５群筒９０２を有する。５群筒９０２には、主ガイド部９０２ａ及び副ガイド部９０２ｃが設けられている。ここで、５群筒９０２は、本発明のレンズ保持部の一例に相当する。
【００２６】
主ガイド部９０２ａには、ガイド軸９０３が嵌合され、副ガイド部９０２ｃには、ガイド軸９０４が嵌合される。ガイド軸９０３，９０４は、後述する５群ベース９１１とベース部材１００１によってそれぞれの両端が保持される。
【００２７】
５群ベースユニット９１０は、５群筒９０２を光軸方向に移動可能に案内する５群ベース９１１を有する。５群ベース９１１は、ベースユニット１０００に対して固定筒７００と略同軸に固定配置されて、５群筒９０２の駆動源であるマグネット９１２及びヨーク９１３を保持している。マグネット９１２は、ヨーク９１３に接着され、ヨーク９１３は、５群ベース９１１にねじ止め等により固定されている。
【００２８】
また、５群ベース９１１の外周部には、突起部９１１ｂが周方向に略等間隔で３箇所設けられている。突起部９１１ｂの光軸方向の両側には、それぞれフランク面が形成されている。ここで、５群ベース９１１は、本発明のストッパ部材の一例に相当し、突起部９１１ｂは、本発明の第２突起またはフォロワ部の一例に相当する。
【００２９】
カム筒８００は、図４に示すように、固定筒７００の外周側で固定筒７００に対して回転可能に設けられる。カム筒８００の外周部には、図４及び図６に示すように、１群ユニット１００のカムピン１０３が係合するカム溝８００ａ、及び１群ユニット１００の凸部１０２ｂ，１０２ｃがそれぞれ係合するカム溝８００ｂ，８００ｃが形成されている。カム溝８００ａ，８００ｂ，８００ｃは、同一軌跡を有し、凸部１０２ｂとカム溝８００ｂとの間、及び凸部１０２ｃとカム溝８００ｃとの間には、所定の隙間が設けられている。
【００３０】
カム筒８００の内周部には、図１１に示すように、固定筒７００のカムピン７００ｃが係合するカム溝８００ｄが周方向に略等間隔で３箇所形成されている。カム溝８００ｄにカムピン７００ｃがカム係合することで、固定筒７００に対するカム筒８００の光軸方向の位置が決定される。カム溝８００ｄは、本発明の第１カム溝の一例に相当する。
【００３１】
また、カム筒８００の内周部には、２群ユニット２００のカムピン２０３がカム係合するカム溝８００ｅが周方向に３箇所に形成されている。更に、カム筒８００の内周部には、絞りユニット３００のカムピン３０３がカム係合するカム溝８００ｆ、３群ユニット４００のカムピン４０５がカム係合するカム溝８００ｇ、及び４群ユニット６００のカムピン６０３がカム係合するカム溝８００ｈが形成される。
【００３２】
また、カム筒８００の内周部には、５群ベース９１１の突起部９１１ｂがカム係合するカム溝８００ｉが周方向に略等間隔で３箇所形成されている。カム溝８００ｉは、カム溝８００ｄと同一の軌跡とされている。カム溝８００ｉは、本発明の第２カム溝の一例に相当する。
【００３３】
図１２は、カム筒８００のカム溝８００ｉと５群ベース９１１の突起部９１１ｂとの係合状態を示す要部断面図である。
【００３４】
固定筒７００に対してのカム筒８００の摺動負荷を低減させたい場合は、図１２（ａ）に示すように、突起部９１１ｂのフランク面とカム溝８００ｉの側壁との間に隙間を設け、突起部９１１ｂの先端部をカム溝８００ｉの底部に全範囲で接触させて係合させる。
【００３５】
一方、固定筒７００に対してカム筒８００を高精度に位置決めしたい場合は、図１２（ｂ）に示すように、突起部９１１ｂのフランク面をカム溝８００ｉに接触させて係合させる。
【００３６】
以下、図１２（ａ）について説明するが、図１２（ｂ）も同様である。図１２（ａ）に示すように、突起部９１１ｂの先端部は、カム溝８００ｉの底面に接触している。図１１に示すように、カム溝８００ｄは、カム筒８００の軸方向の被写体側（図１１のＺ（＋）側）端部に設けられているのに対し、カム溝８００ｉは、カム筒８００の軸方向の像面側（図１１のＺ（−）側）の端部に設けられている。
【００３７】
また、カム筒８００の像面側の端部外周部には、図１０に示すように、ギア部８００ｊが設けられている。また、カム筒８００には、図１１に示すように、カムピン３０３，４０５を組み込むための穴部８００ｋ、及びカムピン６０３を組み込むための穴部８００ｌが形成されている。
【００３８】
カム筒８００の像面側端部には、リブ部８００ｐが設けられている。リブ部８００ｐは、ベースユニット１０００のベース部材１００１に取り付けられた不図示のフォトセンサを光学的に遮蔽することによりカム筒８００の光軸方向の位置を検出する。また、リブ部８００ｐは、２つのカム溝８００ｉに周方向に挟まれた位置で、かつカム溝８００ｉと光軸方向に重なる位置に配置されている。これにより、リブ部８００ｐをカム溝８００ｉより像面側に配置する必要がない為、カム筒８００の全長を短くすることができ、レンズ鏡筒の小型化が可能となる。
【００３９】
ベースユニット１０００は、ベース部材１００１を有し、ベース部材１００１は、ガイド軸９０３，９０４を保持する。ベース部材１００１には、撮像素子８及び不図示のフォトセンサ等が取り付けられる。
【００４０】
次に、図１１乃至図１８を参照して、レンズ鏡筒１９のズーム動作について説明する。図１３は、収納位置でのレンズ鏡筒１９の断面図である。図１４は、収納位置でのレンズ鏡筒１９の図１３とは異なる位相の断面図である。図１５は、第１撮影位置（ＷＩＤＥ位置）でのレンズ鏡筒１９の断面図である。図１６は、第２撮影位置（ＭＩＤＤＬＥ位置）でのレンズ鏡筒１９の断面図である。図１７は、第３撮影位置（ＴＥＬＥ位置）でのレンズ鏡筒１９の断面図である。図１８は、ＭＩＤＤＬＥ位置とＴＥＬＥ位置でのカム筒８００のカム溝８００ｉと５群ベース９１１の突起部９１１ｂとの係合状態を示す要部断面図である。
【００４１】
不図示の駆動源の回転力がギア部８００ｊに伝達されてカム筒８００が回転すると、カム筒８００のカム溝８００ｄに固定筒７００のカムピン７００ｃが係合しているため、カム筒７００は、カム溝８００ｄのカム軌跡に沿って回転しながら光軸方向へ移動する。
【００４２】
ここで、図１１において、範囲Ａは、収納位置からＷＩＤＥ位置とＴＥＬＥ位置との間のＭＩＤＤＬＥ位置までの領域である。ＷＩＤＥ位置、ＭＩＤＤＬＥ位置、及びＴＥＬＥ位置では、それぞれのレンズの位置関係が異なる。また、範囲Ｂは、ＭＩＤＤＬＥ位置からＴＥＬＥ位置までの領域である。
【００４３】
範囲Ａでは、図１２（ａ）に示すように、カム筒８００のカム溝８００ｉの光軸方向の両側壁部（図１１のＺ（＋）及びＺ（−）側）に対して５群ベース９１１の突起部９１１ｂのフランク面が係合可能な状態である。また、範囲Ｂでは、図１８（ａ）に示すように、カム筒８００のカム溝８００ｉの光軸方向の被写体側（図１１のＺ（＋）側）の側壁部に対してのみ５群ベース９１１の突起部９１１ｂのフランク面が係合可能な状態である。なお、図１２（ｂ）の場合は、図１８（ｂ）の状態となる。
【００４４】
図１１に示す範囲Ｂでは、カム筒８００が固定筒７００に対して最も被写体側に繰り出して略定位置で回転している為、固定筒７００の被写体側端部のフランジ部７００ｆにカム筒８００が最も接近する。これにより、固定筒７００のフランジ部７００ｆがカム筒８００の被写体方向（図１１のＺ（＋）方向）における外圧受けとなり、固定筒７００からのカム筒８００の脱落を防止している。また、範囲ＢのＺ（−）方向では、カム筒８００に対して５群ベース９１１の突起部９１１ｂが外圧受けとなり、固定筒７００からのカム筒８００の脱落を防止している。
【００４５】
一方、図１１に示す範囲Ａでは、５群ベース９１１の突起部９１１ｂがカム筒８００のＺ（＋）及びＺ（−）方向の両方向の外圧受けとなり、固定筒７００からのカム筒８００の脱落を防止している。以上より、耐衝撃性に優れたレンズ鏡筒１９を提供することが可能となる。
【００４６】
ここで、固定筒７００のフランジ部７００ｆとカム筒８００との隙間を、収納位置でＸ（ｓ）、ＷＩＤＥ位置でＸ（ｗ）、ＭＩＤＤＬＥ位置でＸ（ｍ）、ＴＥＬＥ位置でＸ（ｔ）とすると、Ｘ（ｓ）≦Ｘ（ｗ）＜Ｘ（ｍ）＝Ｘ（ｔ）となる。
【００４７】
そのため、範囲Ｂでは、カム筒８００のカム溝８００ｉの光軸方向の像面側（図１１のＺ（−）側）には側壁部８００ｚが不要となり、カム筒８００の全長を短くすることができる。また、突起部９１１ｂを有する５群ユニット９００を、カム筒８００のカム溝８００ｉの開放部８００ｙを導入口として、像面側（図１１のＺ（−）側）から組込が可能となる。そのため、従来のように、カム筒８００に組込用の穴部を形成する必要がなくなり、カム溝の配置の自由度が増すことによってカム筒８００の小型化が可能となる。
【００４８】
カム筒８００の回転により、１群ユニット１００は、カムピン１０３がカム筒８００の外周側に設けられたカム溝８００ａに追従して、光軸方向へ移動する。１群ユニット１００の凸部１０２ｂは、カム筒８００のカム溝８００ｂに隙間を確保した状態で係合し、凸部１０２ｃは、カム筒８００のカム溝８００ｃに隙間を確保した状態で係合している。このとき、１群筒１０２の溝部１０２ｃと固定筒７００の凸部７００ａとは係合しており、１群ユニット１００は、回転規制された状態で光軸方向へ直進移動する。
【００４９】
２群ユニット２００は、カムピン２０３がカム筒８００のカム溝８００ｅに係合し、カム溝８００ｅのカム軌跡に沿って光軸方向へ移動する。このとき、２群筒２０２の円筒部２０３ｂと固定筒７００の溝部７００ｂとが係合しており、２群ユニット２００は、回転規制された状態で光軸方向へ直進移動する。
【００５０】
絞りユニット３００は、カムピン３０３がカム筒８００のカム溝８００ｆに係合し、カム溝８００ｆのカム軌跡に沿って光軸方向へ移動する。このとき、絞りユニット３００の主ガイド部３０１は、ガイド軸７０３に嵌合され、副ガイド部３０２は、ガイド軸７０４に嵌合されており、絞りユニット３００は、回転規制された状態で光軸方向に直進移動する。
【００５１】
３群ユニット４００は、カムピン４０５がカム溝８００ｇに係合し、カム溝８００ｇのカム軌跡に沿って光軸方向へ移動する。このとき、３群ベース４０４の主ガイド部４０４ａは、ガイド軸７０３に嵌合され、副ガイド部４０４ｃは、ガイド軸７０４に嵌合されており、３群ユニット４００は、回転規制された状態で光軸方向に直進移動する。
【００５２】
４群ユニット６００は、カムピン６０３がカム筒８００のカム溝８００ｈに係合し、カム溝８００ｈのカム軌跡に沿って光軸方向へ移動する。このとき、４群筒６０２の主ガイド部６０２ａは、ガイド軸７０４に嵌合され、副ガイド部６０２ｃは、３群ベース４０４に係合しており、４群ユニット６００は、回転規制された状態で光軸方向に直進移動する。
【００５３】
５群ユニット９００は、ガイド軸９０３，９０４により回転規制され、マグネット９１２とヨーク９１３からなる駆動源により光軸方向の所定位置へ駆動される。
【００５４】
以上より、１群ユニット１００、２群ユニット２００、絞りユニット３００、３群ユニット４００、４群ユニット６００、及び、５群ユニット９００が、図１３乃至図１７に示すように、光軸方向に移動してズーム動作が行われる。
【００５５】
以上説明したように、本実施形態では、レンズ鏡筒１９の大型化を招くことなく、レンズ鏡筒１９の優れた耐衝撃性を確保することができる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５７】
１９  レンズ鏡筒
７００  固定筒
７００ｃ  カムピン
７００ｆ  フランジ部
８００  カム筒
８００ｄ  カム溝
８００ｉ  カム溝
９１１  ５群ベース
９１１ｂ  突起部
【図１】
0006362477.tif 000002
【図２】
0006362477.tif 000003
【図３】
0006362477.tif 000004
【図４】
0006362477.tif 000005
【図５】
0006362477.tif 000006
【図６】
0006362477.tif 000007
【図７】
0006362477.tif 000008
【図８】
0006362477.tif 000009
【図９】
0006362477.tif 000010
【図１０】
0006362477.tif 000011
【図１１】
0006362477.tif 000012
【図１２】
0006362477.tif 000013
【図１３】
0006362477.tif 000014
【図１４】
0006362477.tif 000015
【図１５】
0006362477.tif 000016
【図１６】
0006362477.tif 000017
【図１７】
0006362477.tif 000018
【図１８】
0006362477.tif 000019